(57)【要約】【課題】  蓄熱運転時に、蓄熱槽と室内機を接続するガス側延長配管に冷媒が溜まり込んで冷媒不足となることを解消する。【解決手段】  圧縮機１から出た冷媒を室内熱交換機４０ａ，４０ｂ、室内流量制御弁４１ａ、４１ｂに通し、室外熱交換器３を介して圧縮機１に戻す暖房運転態様と、圧縮機１から出た冷媒を室内熱交換機４０ａ，４０ｂ、室内流量制御弁４１ａ、４１ｂに通し、蓄熱熱交換器２１を介して圧縮機１に戻す利用暖房運転態様と、圧縮機１から出た冷媒を蓄熱熱交換器２１に通し、室外熱交換機３を介して圧縮機１に戻す蓄熱運転態様との各運転態様を有し、蓄熱運転開始時に一定の条件で暖房運転を行った後に蓄熱運転を行なわせる第１制御手段を備えた。【選択図】  図１
2006029637.tif 000002
【特許請求の範囲】
【請求項１】
外気と冷媒との熱交換を行う室外熱交換器および圧縮機を有する室外機と、室内空気と冷媒との熱交換を行う室内熱交換器および室内流量制御弁を有する室内機と、蓄熱媒体を貯留し該蓄熱媒体と熱交換関係にされた蓄熱熱交換器を有した蓄熱槽とを備え、
前記圧縮機から出た冷媒を、前記室内熱交換機、前記室内流量制御弁に通し、前記室外熱交換器を介して前記圧縮機に戻す暖房運転態様と、
前記圧縮機から出た冷媒を、前記室内熱交換機、前記室内流量制御弁に通し、前記蓄熱熱交換器を介して前記圧縮機に戻す利用暖房運転態様と、  
前記圧縮機から出た冷媒を、前記蓄熱熱交換器に通し、前記室外熱交換機を介して前記圧縮機に戻す蓄熱運転態様との各運転態様を有し、  
蓄熱運転開始時に一定の条件で暖房運転を行った後に蓄熱運転を行なわせる第１制御手段を備えたことを特長とする蓄熱式空気調和装置。
【請求項２】
請求項第１項記載の蓄熱式空気調和装置において、前記第１制御手段は前記暖房運転を所定の時間経過するまで継続し、その後蓄熱運転に切り換えるよう制御することを特長とする蓄熱式空気調和装置。
【請求項３】
請求項第１項記載の蓄熱式空気調和装置において、前記第１制御手段は暖房運転を前記圧縮機からの吐出冷媒が所定の高圧となるまで継続し、その後蓄熱運転に切り換えるよう制御することを特長とする蓄熱式空気調和装置。
【請求項４】
請求項第１項乃至第３項のいずれかに記載の蓄熱式空気調和装置において、前記第１制御手段は外気温度が予め設定した温度より低い場合に蓄熱運転前に暖房運転を行うことを特長とする蓄熱式空気調和装置。
【請求項５】
外気と冷媒との熱交換を行う室外熱交換器および圧縮機を有する室外機と、室内空気と冷媒との熱交換を行う室内熱交換器および室内流量制御弁を有する室内機と、蓄熱媒体を貯留し該蓄熱媒体と熱交換関係にされた蓄熱熱交換器を有した蓄熱槽とを備え、
前記圧縮機から出た冷媒を、前記室内熱交換機、前記室内流量制御弁に通し、前記室外熱交換器を介して前記圧縮機に戻す暖房運転態様と、
前記圧縮機から出た冷媒を、前記室内熱交換機、前記室内流量制御弁に通し、前記蓄熱熱交換器を介して前記圧縮機に戻す利用暖房運転態様と、  
前記圧縮機から出た冷媒を、前記蓄熱熱交換器に通し、前記室外熱交換機を介して前記圧縮機に戻す蓄熱運転態様との各運転態様を有し、  
蓄熱運転中に所定条件となった場合に一時的に暖房運転を行なわせる第２制御手段を備えたことを特長とする蓄熱式空気調和装置。
【請求項６】
請求項第５項記載の蓄熱式空気調和装置において、前記第２制御手段は蓄熱運転中に前記圧縮機の吸入圧力が予め設定した圧力より低い場合に暖房運転に切り換えることを特長とする蓄熱式空気調和装置。
【請求項７】
請求項第５項記載の蓄熱式空気調和装置において、前記第２制御手段は蓄熱運転中の外気温度を基に蓄熱運転継続可能時間を決定し、その時間が経過した場合に暖房運転に切り換えるようにしたことを特長とする蓄熱式空気調和装置。
【請求項８】
外気と冷媒との熱交換を行う室外熱交換器および圧縮機を有する室外機と、室内空気と冷媒との熱交換を行う室内熱交換器および室内流量制御弁を有する室内機と、蓄熱媒体を貯留し該蓄熱媒体と熱交換関係にされた蓄熱熱交換器を有した蓄熱槽とを備え、
前記圧縮機から出た冷媒を、前記室内熱交換機、前記室内流量制御弁に通し、前記室外熱交換器を介して前記圧縮機に戻す暖房運転態様と、
前記圧縮機から出た冷媒を、前記室内熱交換機、前記室内流量制御弁に通し、前記蓄熱熱交換器を介して前記圧縮機に戻す利用暖房運転態様と、  
前記圧縮機から出た冷媒を、前記蓄熱熱交換器に通し、前記室外熱交換機を介して前記圧縮機に戻す蓄熱運転態様との各運転態様を予め設定しておき、  
蓄熱運転開始時に一定の条件で暖房運転を行った後に蓄熱運転を行なわせることを特長とする蓄熱式空気調和装置の運転方法。
【請求項９】
外気と冷媒との熱交換を行う室外熱交換器および圧縮機を有する室外機と、室内空気と冷媒との熱交換を行う室内熱交換器および室内流量制御弁を有する室内機と、蓄熱媒体を貯留し該蓄熱媒体と熱交換関係にされた蓄熱熱交換器を有した蓄熱槽とを備え、
前記圧縮機から出た冷媒を、前記室内熱交換機、前記室内流量制御弁に通し、前記室外熱交換器を介して前記圧縮機に戻す暖房運転態様と、
前記圧縮機から出た冷媒を、前記室内熱交換機、前記室内流量制御弁に通し、前記蓄熱熱交換器を介して前記圧縮機に戻す利用暖房運転態様と、  
前記圧縮機から出た冷媒を、前記蓄熱熱交換器に通し、前記室外熱交換機を介して前記圧縮機に戻す蓄熱運転態様との各運転態様を予め設定しておき、  
蓄熱運転中に所定条件となった場合に一時的に暖房運転を行なわせることを特長とする蓄熱式空気調和装置の運転方法。
【発明の詳細な説明】
【技術分野】
【０００１】
この発明は、室外機（又は室外ユニット）と、蓄冷熱可能な蓄冷熱媒体（又は蓄熱媒体）を内蔵し蓄冷熱用熱交換器を持つ蓄冷熱槽（又は蓄熱槽あるいは蓄熱ユニット）と、室内機（又は室内ユニット）とを備え、冷暖房を行うことのできる蓄熱式空気調和装置に関するものである。
【背景技術】
【０００２】
蓄熱式空気調和装置として、夜間の蓄冷、昼の蓄熱を利用した夏季の冷房や冬季の暖房、デフロスト運転を行うことができる装置がある。この種の装置では、蓄熱運転を行う場合、圧縮機から吐出された冷媒が蓄熱槽と室内機を接続するガス側延長配管に流入すると、それが外気により冷却されて管内に溜まり込み易い。このため、冷媒不足気味の運転に陥ることを防止する目的で、蓄熱槽に開閉弁を設けてガス側接続配管に冷媒が流入しないよう制御する技術が開示されている（例えば特許文献１）。
【特許文献１】特許第３２８４５８２号公報（図１等）
【発明の開示】
【発明が解決しようとする課題】
【０００３】
しかしながら、冷房運転や暖房運転では上記開閉弁の圧損により運転効率が低下するという課題がある。また、開閉弁を大形化して効率低下を防止しようとするとコストアップが大きくなるという課題がある。
【０００４】
この発明は上記課題を解決するためになされたもので、蓄熱運転時、蓄熱槽と室内機を接続するガス側延長配管に冷媒が溜まり込んで冷媒不足となることを解消するのを、従来そのために用いられていた開閉弁を用いることなしに、それと同様の効果を奏する蓄熱式空気調和装置を得ることを目的としている。
また、冷房や暖房時の圧損に起因する効率低下を抑制できる蓄熱式空気調和装置を得ることも目的としている。
【課題を解決するための手段】
【０００５】
この発明の蓄熱式空気調和装置は、外気と冷媒との熱交換を行う室外熱交換器および圧縮機を有する室外機と、室内空気と冷媒との熱交換を行う室内熱交換器および室内流量制御弁を有する室内機と、蓄熱媒体を貯留し該蓄熱媒体と熱交換関係にされた蓄熱熱交換器を有した蓄熱槽とを備え、前記圧縮機から出た冷媒を、前記室内熱交換機、前記室内流量制御弁に通し、前記室外熱交換器を介して前記圧縮機に戻す暖房運転態様と、前記圧縮機から出た冷媒を、前記室内熱交換機、前記室内流量制御弁に通し、前記蓄熱熱交換器を介して前記圧縮機に戻す利用暖房運転態様と、前記圧縮機から出た冷媒を、前記蓄熱熱交換器に通し、前記室外熱交換機を介して前記圧縮機に戻す蓄熱運転態様との各運転態様を有し、蓄熱運転開始時に一定の条件で暖房運転を行った後に蓄熱運転を行なわせる第１制御手段を備えたものである。
この発明の蓄熱式空気調和装置は、また、外気と冷媒との熱交換を行う室外熱交換器および圧縮機を有する室外機と、室内空気と冷媒との熱交換を行う室内熱交換器および室内流量制御弁を有する室内機と、蓄熱媒体を貯留し該蓄熱媒体と熱交換関係にされた蓄熱熱交換器を有した蓄熱槽とを備え、前記圧縮機から出た冷媒を、前記室内熱交換機、前記室内流量制御弁に通し、前記室外熱交換器を介して前記圧縮機に戻す暖房運転態様と、前記圧縮機から出た冷媒を、前記室内熱交換機、前記室内流量制御弁に通し、前記蓄熱熱交換器を介して前記圧縮機に戻す利用暖房運転態様と、前記圧縮機から出た冷媒を、前記蓄熱熱交換器に通し、前記室外熱交換機を介して前記圧縮機に戻す蓄熱運転態様との各運転態様を有し、蓄熱運転中に所定条件となった場合に一時的に暖房運転を行なわせる第２制御手段を備えたものである。
【発明の効果】
【０００６】
この発明の装置によれば、停止中に蓄熱槽と室内機とを接続するガス側延長配管に溜まり込んでいた冷媒を室外機側に回収してから蓄熱運転に入るようになっているため、冷媒不足気味の運転となることがなく所定の蓄熱能力が得られる効果がある。
また、外気温度が低い場合の蓄熱運転中では、吐出冷媒が外気により冷却されてガス側延長配管に少しずつ冷媒が溜まり込み、冷媒不足気味の運転となって吸入圧力Psが次第に低下する。しかしこの発明の装置によれば、吸入圧力を検知し設定吸入圧力（冷媒不足時の吸入圧力）と比較して、冷媒不足と判断した場合に暖房運転に切り換えてガス側延長配管に溜まった冷媒を回収するようにしているため、外気温度の低い場合でも冷媒不足となることなく蓄熱運転を行うことができる。
【発明を実施するための最良の形態】
【０００７】
まず、本発明の実施の形態に係る蓄熱式空気調和装置の冷凍サイクル構成について説明する。図１はその冷凍サイクル構成例であり、室外機（室外ユニット）Ａと蓄熱槽（蓄熱ユニット）Ｂ、室内機（室内ユニット）C1，C2が接続されている。室外機Aは圧縮機１、四方弁２、室外熱交換器３、過冷却熱交換器４、第３の流量制御弁５等により構成されている。蓄熱槽Bは蓄熱熱交換器２１と第２の流量制御弁２３、第１の流量制御弁２２、第１の開閉弁２４、第２の開閉弁２５、第３の開閉弁２６、第４の開閉弁２７、第１の逆止弁２８、第２の逆止弁２９等により構成されている。なお、蓄熱槽Bは蓄熱媒体を貯留しており、該蓄熱媒体と蓄熱熱交換器２１とが熱交換関係に配置されている。室内機C１、C２は室内熱交換器４０a、４０b、室内流量制御弁４１a、４１b等により構成されている。なお、室内機はＣ１又はＣ２のいずれか一つとしても良い。
室外機Aと蓄熱槽Bとは、液管P３、低圧ガス管P２、高圧ガス管P１により接続され、蓄熱槽Bと室内機C1、C2とは、液側延長配管P５、ガス側延長配管P４により接続されている。また、３０は蓄熱熱交換器２１の出入口配管に設けられた第１の温度センサー、４２a、４２bは室内熱交換器４０ａ，４０ｂの入口配管に設けられた第２の温度センサー、４３a、４３bは室内熱交換器４０ａ，４０ｂの出口配管に設けられた第３の温度センサー、１１は室外機Ａの外気取り込み部に設けられた第４の温度センサーである。
【０００８】
以上に加えて、蓄熱式空気調和装置は、後述する暖房運転、利用暖房運転、蓄熱運転に合わせて各種弁を制御するバルブ制御装置５０を備える。さらに、後述する実施の形態１乃至３に合わせて蓄熱式空気調和装置の運転を制御する第１の制御手段、および／又は、後述する実施の形態４乃至５に合わせて蓄熱式空気調和装置の運転を制御する第２の制御手段の機能を有した運転制御装置５１を備えている。この運転制御装置５１は、例えば、中央処理装置（ＣＰＵ）と、実施の形態１乃至５に関連して示すフローチャートの各ステップの処理を指示したプログラム等から構成される。  
【０００９】
次に、上記のように構成された蓄熱式空気調和装置の暖房、蓄熱、利用暖房運転の各動作について順次説明する。なお、これらの各運転時における冷凍サイクル中の制御弁又は開閉弁の状態を表１にまとめて示しておく。
【００１０】
【表１】
2006029637.tif 000003
【００１１】
［暖房運転］
図２は暖房運転時の冷媒の流れを示したものである。圧縮機１から吐出された高温高圧ガス冷媒は高圧ガス管P１から蓄熱槽Bの非蓄熱部、ガス側延長配管P４を通り室内熱交換器４０a、４０bに流入し、そこで室内空気と熱交換して凝縮液化する。そして、この冷媒液は室内流量制御弁４１a、４１bにより低圧まで減圧され第４の開閉弁２７、第３の開閉弁２６と第２の逆止弁２９とを流通して全開状態の第１の流量制御弁２２を通り、室外熱交換器３で蒸発、ガス状態となり圧縮機１に吸入される。室内流量制御弁４１a、４１bは第２、第３の温度センサー４２a、４２b、４３a、４３bでの検出温度を基に冷媒の過冷却度が予め定めた所定範囲となるよう流量制御される。
【００１２】
［利用暖房運転］
図３は蓄熱槽に溜められた蓄熱媒体である温水および水から吸熱する利用暖房運転時の冷媒の流れを示したものである。圧縮機１から吐出された高温高圧ガス冷媒は、高圧ガス管P１から蓄熱槽Bの非蓄熱部、ガス側延長配管P４を通り室内熱交換器弁４０a、４０bに流入し、そこで室内空気と熱交換して凝縮液化する。そして、この冷媒液は室内流量制御弁４１a、４１bにより低圧まで減圧され第４の開閉弁２７、第３の開閉弁２６と第２の逆止弁２９とを流通し、さらに、全開状態の第２の流量制御弁２３を通り蓄熱熱交換器２１に入る。冷媒はそこで温水より吸熱して蒸発、ガス状態となって第２の開閉弁２５、低圧ガス管P２から圧縮機１に戻る。なお、室内流量制御弁４１a、４１bの制御は暖房運転と同様に制御される。
【００１３】
［蓄熱運転］
次に、蓄熱槽に溜められた蓄熱媒体である水および氷を加熱し、温水として蓄熱する蓄熱運転について説明する。この場合の冷媒の流れを図４に示す。ここでは、圧縮機１から吐出された高温高圧ガス冷媒を第１の開閉弁２４を介して蓄熱熱交換器２１に導入し、そこで水と熱交換することにより凝縮液化させる。そして、この液冷媒を全開状態の第２の流量制御弁２３を流通させ、第１の流量制御弁２２で低圧に減圧して室外熱交換器３で外気と熱交換、ガス状態して圧縮機１に吸入させる。第１の流量制御弁２２は第１の温度センサー３０と、圧縮器１からの吐出圧力を測定する高圧センサー（図示せず）から冷媒の過冷却度を検知し、過冷却度が所定範囲内となるよう流量制御される。この時、室内流量制御弁４１a、４１bの開度は少し開いた状態に制御される。
【００１４】
本発明の第１の態様は、上記蓄熱式空気調和装置の停止中に室内機側への延長配管に溜まり込んでいた冷媒を室外機側に回収した後、蓄熱運転に入るようにするものである。そのため、蓄熱運転開始時に一定の条件で暖房運転を行った後に蓄熱運転を行なわせるようにしたものである。
【００１５】
（実施の形態１）
図５に本発明の実施の形態１に係る蓄熱運転時の制御フローの概略を示す。蓄熱運転の指示が自動的にあるいはスイッチ等により設定されると（Ｓ１）、まず、室内ファンＯＦＦの状態で、図２に示すような冷媒の流れとなる暖房運転が行われる（Ｓ２，Ｓ３）。この暖房運転の継続時間thはタイマー（図示せず）等で監視し、予め設定しておいた設定暖房継続時間thsと比較する（Ｓ４）。設定暖房継続時間thsは、例えば、暖房運転において冷媒の循環が安定するようになるまでの時間とすることができる。そして、th＞ths  となると、運転制御装置５１がバルブ制御部５０に作用して、暖房運転を、図４に示すような冷媒の流れとなる蓄熱運転へ切り換える（Ｓ５）。これによれば、蓄熱開始時に蓄熱槽Ｂと室内機Ｃ１，Ｃ２とを接続する配管に冷媒を流通するようにしているため、停止中にガス側延長配管Ｐ４の配管に溜まり込んでいた冷媒を室外機Ａ側に回収して蓄熱運転に入ることになる。その結果、冷媒不足気味の運転となることがなく所定の蓄熱能力が得られる効果がある。しかも、この効果を得るために従来用いていた開閉弁が不要なため、その圧損が回避されて運転効率の低下も抑制できる。
【００１６】
（実施の形態２）
上記の実施の形態１では、暖房継続時間をタイマーにより設定して蓄熱運転に切り換えるようにしたが、圧縮された冷媒が所定の高圧となるまで継続し、その後蓄熱運転に切り換えるよう制御することもできる。
図６に実施の形態２に係る蓄熱運転時の制御フローの概略を示す。蓄熱運転の指示が自動的にあるいはスイッチ等により設定されると（Ｓ１１）、まず、室内ファンＯＦＦの状態で、図２に示すような冷媒の流れとなる暖房運転が行われる（Ｓ１２，Ｓ１３）。この暖房運転中は圧力センサー（図示せず）等で圧縮機１からの吐出圧力Ｐdを測定し、その測定値を予め設定しておいた設定圧力値Ｐdsと比較する（Ｓ１４）。設定圧力値Ｐdsは、例えば、予め定めた所定の蓄熱能力が得られる吐出圧力以上とする。そして、Ｐd≧Ｐds  となると、運転制御装置５１がバルブ制御部５０に作用して、暖房運転を、図４に示すような冷媒の流れとなる蓄熱運転へ切り換える（Ｓ１５）。これにより、適切なタイミングで蓄熱運転に切り換えることができ、実施の形態１と同様の効果を奏することができる。
【００１７】
（実施の形態３）
本発明の実施の形態３は、実施の形態１又２の前段階として、蓄熱運転開始時の外気温度Ｔoを検知し、その温度に基づいて暖房運転の要否を判断するようにしたものである。これは、外気温度が低いときに接続配管に溜まり込む冷媒量が多くなることを考慮したものである。
図７に本発明の実施の形態３に係る蓄熱運転時の制御フローの概略を示す。蓄熱運転の指示が自動的にあるいはスイッチ等により設定されると（Ｓ２１）、まず、第４の温度センサー１１で外気温度Ｔoを測定し、その測定値を予め定めた設定温度Ｔosと比較する（Ｓ２２）。設定温度Ｔosは、例えば、ガス側延長配管Ｐ４に冷媒が溜まり込まなくなる温度である。そして、Ｔo＜Ｔos  であれば、その後は実施の形態１と同様の制御が行われて蓄熱運転に切り替わる（Ｓ２３〜Ｓ２６）。なお、このＳ２３〜Ｓ２６のステップでは、実施の形態１に代えて実施の形態２と同様の制御としもよい。一方、Ｓ２２において、Ｔo≧Ｔosであれば、直ちに蓄熱運転に切り替わる（Ｓ２２→Ｓ２６）。従って、蓄熱運転時における暖房運転は、外気温度Ｔoが設定温度Ｔosより低い場合だけすればよく、より効率的な運転が可能となる。
【００１８】
ところで、外気温度が低い場合の蓄熱運転中には、吐出冷媒が外気により冷却されてガス側接続配管P４に少しずつ冷媒が溜まり込み、冷媒不足気味の運転となっていく。本発明の第２の態様は、この点を考慮し、蓄熱運転中に室内機側の接続配管に溜まり込んだ冷媒が多くなったと判断したときに、一時的に暖房運転を行なわせるようにするものである。以下に、この例を説明する。
【００１９】
（実施の形態４）
図９に本発明の実施の形態４に係る蓄熱運転時の制御フローの概略を示す。ここで、Ｓ３１〜Ｓ３６は実施の形態３と同様のものである。Ｓ３６で実際に蓄熱運転がスタートすると、蓄熱媒体の実温度Ｔwを図示していない温度センサ等により測定し、それを予め定めた設定温度Ｔwsと比較する（Ｓ３７）。ここで、蓄熱媒体の実温度Ｔwが予め定めた設定温度Ｔwsを超えていれば蓄熱運転を終了する（Ｓ３８）。一方、蓄熱媒体の実温度Ｔwが予め定めた設定温度Ｔwsを超えていない場合には、図示していない圧力センサ等により圧縮機１の吸入圧力Ｐsを検知し、それを冷媒不足時の圧力として予め設定した設定吸入圧力Ｐｓｓと比較する（Ｓ３９）。ここで、Ｐｓ＜Ｐｓｓとなった場合には、冷媒不足と判断し暖房運転に切り換えてガス側延長配管Ｐ４に溜まった冷媒を回収する（Ｓ３９→Ｓ３３〜Ｓ３５）。そしてその後、再び蓄熱運転に切り替える（Ｓ３６）。以上の運転態様は、例えば図８のように示すことができる。このように制御することにより外気温度の低い場合でも、冷媒不足を引き起こすことなく確実に蓄熱運転を行うことが可能となる。
【００２０】
（実施の形態５）
ここでは蓄熱継続時間ｔｓを外気温度の関数としておき（外気温度が低くなるほどｔｓを短くする関係）、蓄熱継続時間ｔｓを冷媒不足となる場合として予め設定した設定蓄熱時間ｔｓｓと比較し、ｔｓ＞ｔｓｓとなった場合、冷媒不足と判断し暖房運転に切り換え、ガス側延長配管Ｐ４に溜まった冷媒を回収するようにしたものである。
図１０に本発明の実施の形態５に係る蓄熱運転時の制御フローの概略を示す。ここで、Ｓ４１〜Ｓ４８は実施の形態４のＳ３１〜Ｓ３８と同様のものである。蓄熱媒体の実温度Ｔwが予め定めた設定温度Ｔwsを超えた場合は蓄熱運転を終了するが（Ｓ４８）、蓄熱媒体の実温度Ｔwが予め定めた設定温度Ｔwsを超えていない場合には、外気温度との関係で冷媒不足となると見込まれる予め設定した設定蓄熱継続時間ｔｓｓを呼び出し（Ｓ４９）、実際の蓄熱継続時間ｔｓと比較する（Ｓ５０）。ここで、ｔｓ≦ｔｓｓの場合には蓄熱運転を継続する（Ｓ５０→Ｓ４７）。これに対して、ｔｓ＞ｔｓｓとなった場合には、冷媒不足となったと判断し暖房運転に切り換えてガス側延長配管Ｐ４に溜まった冷媒を回収する（Ｓ５０→Ｓ４３〜Ｓ４５）。そしてその後、再び蓄熱運転に切り替える（Ｓ４６）。このように制御することにより外気温度の低い場合でも、冷媒不足を引き起こすことなく確実に蓄熱運転を行うことができる。
【図面の簡単な説明】
【００２１】
【図１】本発明の実施形態に係る蓄熱式空気調和装置の冷凍サイクル構成図。
【図２】図１の冷凍サイクルの暖房運転時の冷媒の流れを示す図。
【図３】図１の冷凍サイクルの利用暖房運転時の冷媒の流れを示す図。
【図４】図１の冷凍サイクルの蓄熱運転時の冷媒の流れを示す図
【図５】本発明の実施の形態１を示す運転制御フローチャート。
【図６】本発明の実施の形態２を示す運転制御フローチャート。
【図７】本発明の実施の形態３を示す運転制御フローチャート。
【図８】図１の装置の蓄熱運転時の圧力変化イメージを示す図。
【図９】本発明の実施の形態４を示す運転制御フローチャート。
【図１０】本発明の実施の形態５を示す運転制御フローチャート。
【符号の説明】
【００２２】
１  圧縮機、２  四方弁、３  室外熱交換器、４  過冷却熱交換器、５  第３の流量制御弁、１１  第４の温度センサー、２１  蓄熱熱交換器、２４〜２７  第１〜第４の開閉弁、２８、２９  第１、第２の逆止弁、３０  第１の温度センサー、４０a、４０b  室内熱交換器、４１a、４１b  室内流量制御弁、４２a、４２b  第２の温度センサー、４３a、４３b  第３の温度センサー、５０  バルブ制御装置、５１  運転制御装置、A  室外ユニット、B  蓄熱ユニット、C１，C２  室内ユニット、To  外気温度、ｔｈ  暖房継続時間、ｔｓ  蓄熱継続時間、Pｄ  吐出圧力、Pｓ  吸入圧力、Ｔｗ  蓄熱媒体の実温度。
【図１】
2006029637.tif 000004
【図２】
2006029637.tif 000005
【図３】
2006029637.tif 000006
【図４】
2006029637.tif 000007
【図５】
2006029637.tif 000008
【図６】
2006029637.tif 000009
【図７】
2006029637.tif 000010
【図８】
2006029637.tif 000011
【図９】
2006029637.tif 000012
【図１０】
2006029637.tif 000013